(57)【要約】【課題】器具本体部に下側から光源ユニットが取り付けられる長尺形状の照明器具において、器具本体部と光源ユニットとの間に隙間ができるのを抑制する構成を提供する。【解決手段】光源部２００は、スライド爪部４００を備えている。スライド爪部４００は、爪部４１０と爪固定部４２０とを備えている。爪部４１０は、第一の嵌合部である爪開口部４１０１−１を有する。爪固定部４２０は、保持部の他方の面２２１ｂに固定されており、爪部４１０をスライド可能に支持する。また爪固定部４２０は第二の嵌合部である保持突部４２０１−１を有する。爪部４１０は、保持側面部２２２−１の方向にスライドした場合に、保持側面部２２２−１から遠ざかる方向に爪先端部４１４が保持側面部２２２−１から突き出すと共に、爪開口部４１０１−１が保持突部４２０１−１に嵌まる。【選択図】図６
2019024019.tif 000002
【特許請求の範囲】
【請求項１】
長尺形状の光源ユニットであって、
発光素子が実装された長尺形状の発光部と、
長尺形状の平板状の取付部であって一方の面に前記発光部が取り付けられる取付部、及び長尺形状をなす前記取付部の長手方向に沿う一方の端部から前記発光部とは反対方向に立設する側面部を有する保持部と、
先端に引掛部を有し、長尺形状をなす前記取付部の短手方向となる前記取付部の幅方向にスライドするように前記取付部の他方の面に取付けられたスライド部と
を備え、
前記スライド部は、
第一の嵌合部を有し、
前記保持部は、
前記側面部の方向に第二の嵌合部を有し、
前記スライド部は、
前記側面部の方向にスライドした場合に、前記側面部から遠ざかる方向に前記引掛部が前記側面部から突き出すと共に前記第一の嵌合部が前記第二の嵌合部に嵌まる光源ユニット。
【請求項２】
前記保持部は、
前記スライド部をスライド可能に支持するスライド支持部を備え、
前記第二の嵌合部は、
前記スライド支持部に形成された請求項１に記載の光源ユニット。
【請求項３】
前記第二の嵌合部は、
前記側面部に形成された請求項１に記載の光源ユニット。
【請求項４】
前記第一の嵌合部は、
開口形状であり、
前記第二の嵌合部は、
突形状である請求項１から請求項３のいずれか一項に記載の光源ユニット。
【請求項５】
前記第一の嵌合部は、
突形状であり、
前記第二の嵌合部は、
開口形状である請求項１から請求項３のいずれか一項に記載の光源ユニット。
【請求項６】
請求項１から請求項５のいずれか一項に記載の光源ユニットと、
前記光源ユニットを収容する長尺形状の収容部であって前記スライド部の前記引掛部が引っ掛けられ、かつ、前記引掛部が貫通する引掛孔が形成された収容部を有する器具本体部と
を備えた照明器具。
【発明の詳細な説明】
【技術分野】
【０００１】
この発明は、光源ユニットおよび照明器具に関する。例えば、光源ユニットと器具本体部を有する長尺形状の照明器具において、光源ユニットの器具本体部への取り付け構造に関する。
【背景技術】
【０００２】
例えば、特許文献１には、長尺状に形成され光源と電源とを有する光源ユニット２と、この光源ユニット２が着脱自在に取り付けられる器具本体１とを備えた照明器具Ａの開示がある。この長尺状の光源ユニット２は、光源ユニット２の長手側方のうち一方に延出するように配設された爪部である係止部２６１（係止金具２６）と、係止部２６１が延出する側方とは反対の長手側方に配設され器具本体１に係止し引き上げられる係止ばね２８とを備えている。光源ユニット２は、係止部２６１と係止ばね２８とにより器具本体１に取り付けられる。
【先行技術文献】
【特許文献】
【０００３】
【特許文献１】特開２０１４−１７９２０８号公報
【発明の概要】
【発明が解決しようとする課題】
【０００４】
しかし、特許文献１に記載の光源ユニット２は、係止部２６１が器具本体１の幅方向に納まるようにスライド機構を備えているが、スライドをさせる為に光源ユニット２では係止部２６１（係止金具２６）の一部しか保持していない構造である。
このため、光源ユニット２の自重のため、係止部２６１（係止金具２６）の取付構造に起因する隙間の積み重ねに伴う自重方向への変位の発生や、係止部２６１の弾性変形の発生により、光源ユニット２が自重方向に下がってしまうおそれがある。この場合、係止部２６１の側方近辺における光源ユニット２と器具本体１との間に隙間ができてしまう。
【０００５】
本発明は、光源ユニットと器具本体との間に隙間ができるのを抑制する構成の提供を目的とする。
【課題を解決するための手段】
【０００６】
この発明の光源ユニットは、
長尺形状の光源ユニットであって、
発光素子が実装された長尺形状の発光部と、
長尺形状の平板状の取付部であって一方の面に前記発光部が取り付けられる取付部、及び長尺形状をなす前記取付部の長手方向に沿う一方の端部から前記発光部とは反対方向に立設する側面部を有する保持部と、
先端に引掛部を有し、長尺形状をなす前記取付部の短手方向となる前記取付部の幅方向にスライドするように前記取付部の他方の面に取付けられたスライド部と
を備え、
前記スライド部は、
第一の嵌合部を有し、
前記保持部は、
前記側面部の方向に第二の嵌合部を有し、
前記スライド部は、
前記側面部の方向にスライドした場合に、前記側面部から遠ざかる方向に前記引掛部が前記側面部から突き出すと共に前記第一の嵌合部が前記第二の嵌合部に嵌まることを特徴とする。
【発明の効果】
【０００７】
この発明によれば、光源ユニットと器具本体部との間に隙間ができるのを抑制する構成を提供できる。
【図面の簡単な説明】
【０００８】
【図１】実施の形態１を示す図で、照明器具３００の斜視図。
【図２】実施の形態１を示す図で、照明器具３００を器具本体部１００と光源部２００とに分解した分解傾斜視図。
【図３】実施の形態１を示す図で、光源部２００の斜視図。
【図４】実施の形態１を示す図で、器具本体部１００を、本体部１１０と端板１２０−１，１２０−２とに分解した斜視図。
【図５】実施の形態１を示す図で、光源部２００の分解斜視図。
【図６】図３のＡ−Ａに相当する図１のＡ−Ａ断面図。
【図７】実施の形態１を示す図で、スライド爪部４００の斜視図。
【図８】実施の形態１を示す図で、スライド爪部４００の構成部品を示す斜視図。
【図９】実施の形態１を示す図で、爪部４１０のスライド状態を示す図。
【図１０】実施の形態１を示す図で、爪部４１０のスライド状態を示す別の図。
【図１１】実施の形態１を示す図で、バネ部２５０の保持部２２０への取り付けを示す部分拡大図。
【図１２】実施の形態１を示す図で、バネ部２５０のバネ係止金具１５０への係合を示す部分拡大図。
【図１３】実施の形態１を示す図で、光源部２００の器具本体部１００への取り付けを示す図。
【図１４】実施の形態１を示す図で、スライド爪部４００Ａの斜視図。
【図１５】実施の形態１を示す図で、スライド爪部４００Ａの構成部品を示す斜視図。
【図１６】実施の形態１を示す図で、保持突部４２０１−２の形状違いを示す図であり（ａ）は三角形、（ｂ）は台形の保持突部４２０１−２を示す図。
【図１７】実施の形態１を示す図で、スライド爪部４００Ｂの斜視図。
【図１８】実施の形態１を示す図で、スライド爪部４００Ｂの構成部品を示す斜視図。
【発明を実施するための形態】
【０００９】
実施の形態１．
図１から図１３を参照して本実施の形態における照明器具を説明する。本実施の形態では、本発明に係わる照明器具の一例として天井などの被取付部に取り付けられる、逆富士形の照明器具について説明する。以下の説明において、便宜上、天井面側（被取付面側）を上面側とし、床面側（被取付面と反対側）を下面側として説明をおこなう。
【００１０】
＊＊＊構成の説明＊＊＊
図１及び図２に示すように、照明器具３００は、被取付部に当接するように設置される器具本体部１００と、器具本体部１００に脱着可能に取り付けられる光源部２００（光源ユニット）から構成されている。
【００１１】
器具本体部１００は、照明器具３００の外部から引き込まれた電源電線が接続される端子台１４０を備えている。器具本体部１００は、光源部２００を収容する長尺形状の凹部１１１（収容部）を有する。凹部１１１は、爪部４１０（スライド部）の爪先端部４１４（引掛部）が引っ掛けられ、かつ、爪先端部４１４が貫通する引掛孔１３０が形成されている。
【００１２】
器具本体部１００は、長手方向に沿って略中央部に凹部１１１が形成されている。図４に示すように、器具本体部１００は、本体部１１０と、端板１２０−１と、端板１２０−２とを備える。図４、図６のように、凹部１１１は、長尺形状をなす平板形状の平板部である底面部１１２と、底面部１１２の長手方向（図１）に沿う一方の端部から略垂直方向に立設する平板形状の側壁部１１３−１（第一の側壁部）と、底面部１１２の長手方向に沿う他方の端部から略垂直方向に立設する平板形状の側壁部１１３−２（第二の側壁部）からなる。
図４、図６のように、凹部１１１とは、底面部１１２、側壁部１１３−１，１１３−２で構成され、断面がコの字形状で、長手方向の範囲１１８にわたり形成される部分である。なお、図４に示す本体部１１０（底面部１１２、側壁部１１３−１，１１３−２、傾斜部１１４−１，１１４−２）は１枚の板を折り曲げて形成されるが、複数枚の板から形成しても構わない。凹部１１１の底辺側となる底面部１１２は、天井などの被取付部に当接する。側壁部１１３−１には、図２、図４に示すように、略矩形状をした引掛孔１３０が器具本体部１００の前後方向における両端寄りの位置にそれぞれ設けられている。また、凹部１１１の開口の長手方向の側辺のそれぞれから、傾斜部１１４−１、１１４−２が形成されている。なお、長手方向の両側には凹部１１１及び傾斜部１１４−１、１１４−２を覆うように端板１２０−１，１２０−２が取り付けられている。
【００１３】
図２に示すように、器具本体部１００の底面部１１２は、端子台１４０などが取り付けられる。
【００１４】
また、図６に示すように、底面部１１２の引掛孔１３０が形成された側面とは対向する側壁部１１３−２に、バネ部２５０を係止するバネ係止部であるバネ係止金具１５０が取り付けられている。図１２（ａ）は図６のＸ方向矢視を示す部分拡大図であり、図１２（ｂ）はバネ係止金具１５０の側面図、図１２（ｃ）はバネ係止金具１５０の底面図である。図１２（ｂ）に示すように、バネ係止金具１５０は、断面が略コの字状に形成されており、底面部１１２に取り付けるための取付片１５１と、バネ部２５０を係止するための係止片１５２を有している。また、図１２（ｃ）に示すように、係止片１５２の前後方向における両端縁には係止溝部１５３が設けられている。バネ係止金具１５０は、長手方向の両端よりに各１個配置されるスライド爪部４００（図３）に対応して、器具本体部１００の前後方向の両端寄りにそれぞれ設けられる。
【００１５】
図３に示すように、光源部２００は長尺形状である。図３、図５、図６等に示すように、光源部２００は、発光部であるＬＥＤユニット２１０、保持部２２０、カバー部２３０、光源蓋部２４０、バネ部２５０、バネ保持部２６０、点灯装置２７０、スライド爪部４００を備えている。
（１）ＬＥＤユニット２１０は、複数のＬＥＤ２１１（発光素子）と、複数のＬＥＤ２１１が実装されている基板２１２とを有する。ＬＥＤユニット２１０は、照明器具３００の長手方向（図１）と略同等となるように長尺形状に形成されており、複数のＬＥＤ２１１は基板２１２の長尺方向へ並ぶよう配設されている。
（２）保持部２２０は、ＬＥＤユニット２１０が取り付けられる。
（３）カバー部２３０は、ＬＥＤユニット２１０を覆うように保持部２２０に取り付けられて、ＬＥＤユニット２１０から照射される光を拡散制御する。
（４）光源蓋部２４０は、カバー部２３０の端部を覆う。
（５）バネ部２５０は器具本体部１００に配設されたバネ係止金具１５０に係止される。バネ部２５０は、スライド爪部４００と共に光源部２００を器具本体部１００に取り付けけるための取り付け部品であり、バネ部２５０と共に、器具本体部１００に取り付けられた光源部２００の自重を支える。
（６）バネ保持部２６０は、バネ部２５０を保持する。
（７）点灯装置２７０は、ＬＥＤユニット２１０を点灯させる。
（８）スライド爪部４００は器具本体部１００に形成された引掛孔１３０と係合する。
【００１６】
図５、図６に示すように、保持部２２０は、保持正面部２２１（取付部）、保持側面部２２２−１、保持側面部２２２−２を有する。保持正面部２２１は長尺形状の平板状である。保持正面部２２１は略矩形状をなしており、一方の面２２１ａにＬＥＤユニット２１０が取り付けられる。保持側面部２２２−１（側面部）は、長尺形状をなす保持正面部２２１の長手方向に沿う一方の端部２２１ｃからＬＥＤユニット２１０とは反対方向に立設する。保持側面部２２２−２は、保持正面部２２１の長手方向に沿う他方の端部２２１ｄから、保持側面部２２２−１に対向するように、ＬＥＤユニット２１０とは反対方向に立設する。
【００１７】
図７、図８に示すように、スライド爪部４００は、引掛孔１３０に引っ掛けられる爪部４１０（スライド部）と、爪部４１０をスライド可能に保持する爪固定部４２０（スライド支持部）を備えている。爪部４１０は、先端に引掛部である爪先端部４１４を有する。図６に示すように、爪部４１０は、長尺形状をなす保持正面部２２１の短手方向となる幅方向２２３にスライドするように保持正面部２２１の他方の面２２１ｂに、爪固定部４２０を介して取り付けられる。爪部４１０は、Ｓ字状に形成されている。爪部４１０は、スライド片４１１、垂直部４１２、爪本体部４１３、爪先端部４１４（引掛部）を有する。（１）スライド片４１１は、爪固定部４２０にスライド可能に支持される。
（２）垂直部４１２は、スライド片４１１から略垂直に突設されている。垂直部４１２は略中央に、貫通孔として形成された第一の嵌合部４１０１である爪開口部４１０１−１を有する。
（３）爪本体部４１３は、垂直部４１２に対してスライド片４１１が延びる方向と反対方向に延びる。
（４）爪先端部４１４は、爪本体部４１３の先端が爪本体部４１３と鋭角をなすように折り曲げられた形状をなしている。
【００１８】
図６に示すように、保持部２２０は、爪部４１０をスライド可能に支持する爪固定部４２０を備える。爪固定部４２０は保持正面部２２１にビスなどにより固定される。図８に示すように、爪固定部４２０には、第二の嵌合部４２０１として、保持突部４２０１−１が形成されている。図６に示すように、保持部２２０は、爪固定部４２０が保持正面部２２１に固定されるので、保持側面部２２２−１（側面部）の方向に第二の嵌合部４２０１である保持突部４２０１−１を有することとなる。なお、光源部２００に配置される２つのスライド爪部４００は、爪部４１０の爪先端部４１４が引掛孔１３０に対応する配置となるように、保持部２２０の長手方向における両端側に配設される。
【００１９】
図８に示すように、爪固定部４２０は、保持底面部４２２と保持側面部４２３とを備える。
（１）また図６に示すように、保持底面部４２２は、保持正面部２２１の他方の面２２１ｂに当接するように固定される。保持底面部４２２はスライド片４１１をスライド可能に保持するＬ形状をした保持爪部４２１を有する。
（２）図８に示すように、保持側面部４２３は、保持底面部４２２より略垂直に立ち上がり、爪部４１０が保持部２２０から延出するスライド方向に形成されている。保持側面部４２３には第一の嵌合部４１０１である爪開口部４１０１−１と嵌合する第二の嵌合部４２０１としての保持突部４２０１−１が形成されている。図８のスライド爪部４００では、第一の嵌合部４１０１は爪開口部４１０１−１であり開口形状であり、第二の嵌合部４２０１は保持突部４２０１−１であり突形状である。
【００２０】
図７に示すように、スライド爪部４００は、爪部４１０がスライドして延出した際に、爪部４１０に配設された爪開口部４１０１−１と、爪固定部４２０に配設された保持突部４２０１−１とが嵌まり合う。この嵌り合いにより、図６に示す、光源部２００が器具本体部１００に取り付けられた状態において、光源部２００の自重を支える爪本体部４１３の保持部２２０に対する剛性が向上する。
【００２１】
図１１、図１２を参照してバネ部２５０を説明する。バネ部２５０は、線バネをコイル状に巻回して形成された基端部２５１と、基端部２５１から延設された一方の腕部２５２−１と、他方の腕部２５２−２とを有する。バネ部２５０は、バネ保持部２６０により固定されており、また一方の腕部２５２−１は、バネ保持部２６０に引っ掛けられている。なお、バネ部２５０は、保持部２２０の長手方向における両端寄りの位置にそれぞれ配設されており、腕部２５２−２どうしが互いに離れる方向になるよう配置されている。図３に示すように、バネ部２５０の配置された箇所にほぼ対向してスライド爪部４００が配置される。
【００２２】
図５、図６を参照してカバー部２３０を説明する。カバー部２３０は、カバー爪部２３１、反射部２３２、水平部２３３、拡散部２３４を備えており、ポリカーボネートなどの樹脂部材で形成された長尺形状である。
（１）カバー爪部２３１は、保持部２２０の保持側面部２２２−１，２２２−２に係合する。
（２）反射部２３２は、保持正面部２２１の一方の面２２１ａと対向するように形成されている。
（３）水平部２３３は、カバー爪部２３１の保持正面部２２１側端部から保持正面部２２１の外側に向かって水平に形成されている。
（４）拡散部２３４は、水平部２３３の端部から、ＬＥＤユニット２１０を覆うように略円弧形状をなす。
【００２３】
光源蓋部２４０は、カバー部２３０の水平部２３３と拡散部２３４と、保持部２２０の保持正面部２２１から構成される端部を塞ぐ。
【００２４】
点灯装置２７０は、端子台を介して商用電力からの電力をＬＥＤユニット２１０に供給し、ＬＥＤユニット２１０を点灯させる。
【００２５】
＊＊＊動作の説明＊＊＊
次に、図９、図１０、図１３を参照して、光源部２００の器具本体部１００への取り付け方法を説明する。
（１）はじめに、図９に示すように爪部４１０を、爪固定部４２０の保持突部４２０１−１が遠ざかっている状態から、図１０に示すように保持突部４２０１−１に近づくよう幅方向２２３にスライドさせる。図１０の状態では、爪部４１０の爪開口部４１０１−１が爪固定部４２０の保持突部４２０１−１に挿し込まれて嵌合する。図９から図１０の状態に爪部４１０がスライドする場合、爪本体部４１３の突出し長さＬは、Ｌ１からＬ２に増加する。このように、爪部４１０は、保持側面部２２２−１の方向にスライドした場合に、保持側面部２２２−１から遠ざかる方向に爪先端部４１４が保持側面部２２２−１から突き出すと共に、第一の嵌合部４１０１である爪開口部４１０１−１が第二の嵌合部４２０１である保持突部４２０１−１に嵌まる。
（２）次に、図１３（ａ）に示すように、延出するようにスライドされた爪先端部４１４を、器具本体部１０００の引掛孔１３０に引っ掛ける。
（３）その後、図１３（ｂ）に示すように、引っ掛けた箇所（２箇所の引掛孔１３０）を回転の軸とし光源部２００を回転させ、図１２に示すようにバネ部２５０の腕部２５２−２をバネ係止金具１５０の係止溝部１５３に係合させて、腕部２５２−２を係止片１５２に取り付ける。これにより、図６の状態のように、光源部２００は器具本体部１００に取り付けられる。
【００２６】
図１４〜図１８を参照して、図７、図８に示したスライド爪部４００と異なる構成の、スライド爪部４００Ａ、４００Ｂを説明する。まず図１４〜図１６を参照してスライド爪部４００Ａを説明する。スライド爪部４００Ａは、爪部４１０Ａと爪固定部４２０Ａを備える。スライド爪部４００Ａは、スライド爪部４００に対して第一の嵌合部４１０１と第二の嵌合部４２０１との構成が異なる。スライド爪部４００Ａでは、第一の嵌合部４１０１が爪開口部４１０１−２であり、第二の嵌合部４２０１が保持突部４２０１−２である。図１５に示すように、第二の嵌合部４２０１である保持突部４２０１−２は、保持側面部４２３から突き出す矩形の突起として形成されている。図１５では、保持突部４２０１−２は保持側面部４２３の一部を切り起こして形成しているが、切り起こしに限らず、保持側面部４２３に別部品としての保持突部４２０１−２を溶接してもよいし、ねじ止めで取り付けてもよい。なお、図１５では保持突部４２０１−２を矩形の突起として示しているが図１６（ａ）に示すような三角形、図１６（ｂ）に示すような台形としてもよい。三角形や台形のような先細り形状とすることで、保持突部４２０１−２が爪開口部４１０１−２に嵌合しやすくなる。
また第一の嵌合部４１０１である爪開口部４１０１−２は、保持突部４２０１−２が嵌る形状の開口であり、図１５では長方形として示した。
【００２７】
図１７、図１８を参照してスライド爪部４００Ｂを説明する。スライド爪部４００Ｂは、爪部４１０Ｂと爪固定部４２０Ｂを備える。スライド爪部４００Ｂは、スライド爪部４００に対して、第一の嵌合部４１０１と第二の嵌合部４２０１との構成が異なる。スライド爪部４００Ｂでは、第一の嵌合部４１０１が爪開口部４１０１−３であり、第二の嵌合部４２０１が保持突部４２０１−３である。
図１８に示すように、爪固定部４２０Ｂでは保持側面部４２３の最も近くに配置された対となる保持爪部４２１が、第二の嵌合部４２０１である保持突部４２０１−３を兼ねている。保持突部４２０１−３は保持底面部４２２から突き出た突形状である。
また第一の嵌合部４１０１である爪開口部４１０１−３は、保持突部４２０１−３が嵌る形状の開口（切欠き形状）である。図１８に示すように爪開口部４１０１−３は、ａ，ｂ，ｃ，ｄで示される矩形の切欠き形状である。図１８に示す保持突部４２０１−３の上面４２１ａが、爪開口部４１０１−３のａ〜ｂを結ぶ周縁と嵌合することで、図１７の嵌合状態になる。
【００２８】
＊＊＊効果の説明＊＊＊
本実施の形態では、光源部２００のスライド爪部４００では、スライドすることで爪開口部４１０１−１が保持突部４２０１−１に嵌り、光源部２００の側方から爪本体部４１３が延出する爪部４１０により、器具本体部１００に取り付けられる。スライド爪部４００では、爪本体部４１３が光源部２００の側方から延出する向きにスライドしたときにスライド方向に対して略垂直方向（下面側）となる自重方向に対して剛性を向上させる嵌合部（爪開口部４１０１−１、保持突部４２０１−１）を有している。
よって、爪部４１０は爪固定部４２０に、がたつきなくしっかりと固定される。また、嵌合部（爪開口部４１０１−１、保持突部４２０１−１）は引掛孔１３０寄りに配置されるので、爪本体部４１３が引掛孔１３０の周縁から光源部２００の自重による反力を受ける場合にも弾性変形が小さくなる。このため、爪部４１０は光源部２００の自重を強固に支持できるので、光源部２００と器具本体部１００との間に隙間ができるのを抑制できる。上記の効果をスライド爪部４００Ａ，４００Ｂも同様に有することは明らかである。
【００２９】
なお、本実施の形態では、爪部４１０に形成された第一の嵌合部４１０１としての爪開口部４１０１−１と、爪固定部４２０に形成された第二の嵌合部４２０１としての保持突部４２０１−１が係合する場合を示した。これに限らず、爪部４１０が第一の嵌合部４１０１として保持突部４２０１−１の形状の突部を有し、爪固定部４２０が第二の嵌合部４２０１として爪開口部４１０１−１の形状の開口を有してもよい。また、爪固定部４２０が有する第二の嵌合部４２０１（突部、開口等）は、爪固定部４２０ではなく、保持側面部２２２−１（側面部）に形成されていても良い。
【００３０】
なお、本実施の形態では、爪部４１０を、爪固定部４２０の保持爪部４２１がスライド可能に保持しているが、保持正面部２２１の一部を切り起して保持爪部を形成してもよい。
【００３１】
また、引掛孔１３０は器具本体部１００の凹部１１１の側壁部１１３−１に形成しているが、凹部１１１の内部に、引掛孔が形成された部材を配設する構造でもよい。
【符号の説明】
【００３２】
１００  器具本体部、１１０  本体部、１１１  凹部、１１２  底面部、１１３−１，１１３−２  側壁部、１１４−１，１１４−２  傾斜部、１１８  範囲、１２０−１，１２０−２  端板、１３０  引掛孔、１４０  端子台、１５０  バネ係止金具、１５１  取付片、１５２  係止片、１５３  係止溝部、２００  光源部、２１０  ＬＥＤユニット、２１１  ＬＥＤ、２１２  基板、２２０  保持部、２２１  保持正面部、２２１ａ  一方の面、２２１ｂ  他方の面、２２１ｃ  一方の端部、２２２−１，２２２−２  保持側面部、２２３  幅方向、２３０  カバー部、２３１  カバー爪部、２３２  反射部、２３３
水平部、２３４  拡散部、２４０  光源蓋部、２５０  バネ部、２５１  基端部、２５２−１  腕部、２５２−２  腕部、２６０  バネ保持部、２７０  点灯装置、３００  照明器具、４００，４００Ａ，４００Ｂ  スライド爪部、４１０，４１０Ａ，４１０Ｂ  爪部、４１１  スライド片、４１２  垂直部、４１３  爪本体部、４１４  爪先端部、４１０１  第一の嵌合部、４１０１−１，４１０１−２，４１０１−３  爪開口部、４２０，４２０Ａ，４２０Ｂ  爪固定部、４２１  保持爪部、４２２  保持底面部、４２３  保持側面部、４２０１  第二の嵌合部、４２０１−１，４２０１−２，４２０１−３  保持突部。
【図１】
2019024019.tif 000003
【図２】
2019024019.tif 000004
【図３】
2019024019.tif 000005
【図４】
2019024019.tif 000006
【図５】
2019024019.tif 000007
【図６】
2019024019.tif 000008
【図７】
2019024019.tif 000009
【図８】
2019024019.tif 000010
【図９】
2019024019.tif 000011
【図１０】
2019024019.tif 000012
【図１１】
2019024019.tif 000013
【図１２】
2019024019.tif 000014
【図１３】
2019024019.tif 000015
【図１４】
2019024019.tif 000016
【図１５】
2019024019.tif 000017
【図１６】
2019024019.tif 000018
【図１７】
2019024019.tif 000019
【図１８】
2019024019.tif 000020
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
複数の発光素子が配設された、長尺形状の発光部と、
一方の面に前記発光部が取り付けられる長手形状の取付部、前記取付部の長手方向に沿う一方の端部から前記発光部とは反対方向に立設するように形成された側面部、及び、前記取付部から前記発光部と反対方向に立設するように形成された保持爪部を有する保持部と、
先端に引掛部を有し、短手方向となる前記取付部の幅方向にスライドするように前記保持爪部によって保持された状態で前記取付部の他方の面に取付けられたスライド部と
を備えた光源ユニット。
【請求項２】
前記保持爪部は、
前記取付部の一部を前記発光部と反対方向に切り起こして形成されている請求項１に記載の光源ユニット。
【請求項３】
前記スライド部は、
第一の嵌合部を有し、
前記保持部は、
第二の嵌合部を有し、
前記スライド部は、
前記側面部に向かってスライドした場合に、前記引掛部が前記側面部から遠ざかるように前記側面部から突出すると共に前記第一の嵌合部が前記第二の嵌合部に嵌まる請求項１又は請求項２に記載の光源ユニット。